(57)【要約】      （修正有）【課題】環境に害と汚染を与えずに自然分解可能な草刈りコードを提供する。【解決手段】ポリ乳酸（ＰＬＡ）、ポリカプロラクトン（ＰＣＬ）、又はポリビニルアルコール（ＰＶＡ）の何れか一つの生分解性材料により製造される草刈りコード１０であって、面取り角１１を具え、さらに螺旋状に形成される。前記生分解性材料によって、使用済の草刈りコード１０が土壌中で自然分解するので、土壌汚染を引き起こすことはない。また、断面の面取り角１１と螺旋状体によって、草刈りコードの切断性能を高めるとともに、草刈りコードの回転に伴う風の抵抗を低減し、草刈機のエネルギー消耗を減少するという効果を実現できる。【選択図】図１
0003155631.tif 000002
【実用新案登録請求の範囲】
【請求項１】
分解可能な草刈りコードであって、前記草刈りコードは、断面形状が非円形である生分解性材料からなることを特徴とする、分解可能な草刈りコード。
【請求項２】
分解可能な草刈りコードであって、前記草刈りコードは、螺旋形状を有する生分解性材料からなることを特徴とする、分解可能な草刈りコード。
【請求項３】
前記生分解性材料は、ポリ乳酸（PLA）、ポリカプロラクトン（PCL）、又はポリビニルアルコール（PVA）の何れか一つの材料からなることを特徴とする、請求項１又は２に記載の分解可能な草刈りコード。
【請求項４】
前記断面形状は正方形、五辺形、星形、又は何れか一つの形状からなることを特徴とする、請求項１に記載の分解可能な草刈りコード。
【考案の詳細な説明】
【技術分野】
【０００１】
本考案は、分解可能な草刈りコードに係り、特に刈払機や草刈機に用いられるプラスチック草刈りコードであって、ポリ乳酸（PLA）、ポリカプロラクトン（PCL）又はポリビニルアルコール（PVA）の何れか一つの材質により製造されるとともに、使用後にも環境に害と汚染を与えずに自然分解可能な草刈りコードに関する。
【背景技術】
【０００２】
現行の草刈機は、当初使用の草刈用鉄プレートのみならず、草刈コードが益々多く使用されるようになっている。ところで、従来の草刈コードは、大半がプラスチック材により製造されており、正常な使用時でも、草刈コードが使用過程で摩滅又は損壊して飛散することが避けられないため、草や土壌への放置が余儀なくされているのが実状である。加えて、こうして放置又は残留された草刈コードは、プラスチック材が自然分解して土壌に吸収されることがないため、土壌汚染をもたらす一因となっている。
【０００３】
また、よく見かける草刈コードは、製造技術及び製造コストの見地から、その断面が円形であるものが主流であり、しかも螺旋角度を有する軸線がなく、その表面も非常に平滑な状態となっているため、主に草刈機の草刈ヘッドの高速回転によって草を切断するものである。
そして、如何に草刈コードの残留による土壌汚染の問題を解決するとともに、その草刈りの能力を強化できるかは、当業者にとって緊急課題となっている。
【考案の概要】
【考案が解決しようとする課題】
【０００４】
そこで、本考案の主な目的は、使用後土壌中で自然分解可能で、土壌汚染を低減することができるとともに、環境保護の目的を達成することができる分解可能な草刈りコードを提供することにある。
【０００５】
また、本考案の次の目的は、ポリ乳酸（PLA）、ポリカプロラクトン（PCL）、又はポリビニルアルコール（PVA）の何れか一つの生分解性材料から製造される分解可能な草刈りコードを提供することにある。ここでは、例えば、殻物に石油化学材料を加えることにより製造される天然有機材料を使用することで、石油への過剰な依存を減少することができる。
【０００６】
さらに、本考案のさらなるもう一つの目的は、草刈りの能力を強化し、風の抵抗を低減し、しかも草刈機のエネルギー消耗を減少し、省エネ及び地球温暖化の防止を図ることができる分解可能な草刈りコードを提供することにある。
【課題を解決するための手段】
【０００７】
上記課題を解決するために、本考案の請求項１は、分解可能な草刈りコードであって、前記草刈りコードは、断面形状が非円形である生分解性材料からなることを特徴とする、分解可能な草刈りコードである。
【０００８】
本考案の請求項２は、分解可能な草刈りコードであって、前記草刈りコードは、螺旋形状を有する生分解性材料からなることを特徴とする、分解可能な草刈りコードである。
【０００９】
本考案の請求項３は、請求項１又は２において、前記生分解性材料は、ポリ乳酸（PLA）、ポリカプロラクトン（PCL）、又はポリビニルアルコール（PVA）の何れか一つの材料からなる。
【００１０】
本考案の請求項４は、請求項１において、前記断面形状は正方形、五辺形、星形、又は何れか一つの形状からなる。
【考案の効果】
【００１１】
上述したように、本考案は、ポリ乳酸（PLA）、ポリカプロラクトン（PCL）、又はポリビニルアルコール（PVA）の何れか一つの生分解性材料から製造される。これにより、使用後、土壌中で自然分解が可能となり、環境に害と汚染を与えることはない。同時に進んだ製造方法又は製造工程によって、草刈コードの断面を非円形とするとともに、面取り角を有する断面によって、草刈りの能力を強化する。また、草刈コードを螺旋状に製造することにより、草刈りの能力を強化し、風の抵抗を低減し、従来の草刈コードの欠点を解決することができる。
【図面の簡単な説明】
【００１２】
【図１】本考案に係る分解可能な草刈りコードの好適な実施形態の斜視図である。
【図２】本考案に係る分解可能な草刈りコードの好適な実施形態の断面図である。
【図３】本考案に係る分解可能な草刈りコードのもう一つの好適な実施形態の断面図である。
【図４】本考案に係る分解可能な草刈りコードのさらなる一つの好適な実施形態の断面図である。
【考案を実施するための形態】
【００１３】
図１ないし図４を参照する。本考案に係る分解可能な草刈りコードは、図１に示すように、生分解性材料により製造される。前記生分解性材料は、ポリ乳酸（PLA、Ｐｏｌｙｌａｃｔｉｄｅ）、ポリカプロラクトン（PCL）、又はポリビニルアルコール（PVA）の何れか一つから選ばれ、しかも草刈機の草刈りヘッドに装着されるのが好ましい。実際に草を刈る場合は、草刈コード（１０）が切断によって摩損するか、又は石等の硬質物との接触により破断し、しかも切断又は破断した草刈コードの破片が小さくその回収が非常に困難である。本考案によれば、生分解性材料により製造される草刈コードが逐次に土壌中で分解できるため、土壌汚染を引き起こすことなく、環境破壊を減少することができる。
【００１４】
本考案の分解可能な草刈りコードは、断面形状が非円形であり、図１ないし図４に示すように、面取り角（１１）を有する断面を具え、この面取り角（１１）によって、草刈りの能力を強化する。また、草刈りコードを螺旋状に形成することにより、草刈りの能力を強化するのみならず、螺旋状の草刈りコード（１０）が回転する時に、気流が螺旋状体に従って快速に流れるので、風の抵抗を効果的に低減し、しかも草刈機のエネルギー消耗を減少し、省エネ及び環境保護を図ることができる。
【００１５】
以上を総合すると、本考案に係る「分解可能な草刈りコード」は、生分解性材料により製造される草刈りコード（１０）であって、面取り角（１１）を具え、さらに螺旋状に形成される。生分解性材料によって、使用済の草刈りコード（１０）が土壌中で自然分解するので、土壌汚染を引き起こすことはない。また、断面の面取り角（１１）と螺旋状体によって、草刈りコードの切断性能を高めるとともに、草刈りコードの回転に伴う風の抵抗を低減し、草刈機のエネルギー消耗を減少するという効能を実現できる。
【００１６】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１７】
１０      草刈りコード
１１      面取り角
【図１】
0003155631.tif 000003
【図２】
0003155631.tif 000004
【図３】
0003155631.tif 000005
【図４】
0003155631.tif 000006
【手続補正書】
【提出日】平成21年9月15日(2009.9.15)
【手続補正１】
【補正対象書類名】実用新案登録請求の範囲
【補正対象項目名】全文
【補正方法】変更
【補正の内容】
【実用新案登録請求の範囲】
【請求項１】
分解可能な草刈りコードであって、前記草刈りコードは、断面形状が非円形である生分解性材料からなることを特徴とする、分解可能な草刈りコード。
【請求項２】
分解可能な草刈りコードであって、前記草刈りコードは、螺旋形状を有する生分解性材料からなることを特徴とする、分解可能な草刈りコード。
【請求項３】
前記生分解性材料は、ポリ乳酸（PLA）、ポリカプロラクトン（PCL）、又はポリビニルアルコール（PVA）の何れか一つの材料からなることを特徴とする、請求項１又は２に記載の分解可能な草刈りコード。
【請求項４】
前記断面形状は正方形、五辺形、又は星形の何れか一つの形状からなることを特徴とする、請求項１に記載の分解可能な草刈りコード。